(57)【特許請求の範囲】
【請求項１】
横方向フレーム部と、保持面上で直立させるための直立フレーム部とを有する主フレームであって、該横方向フレーム部は該直立フレーム部に接続される、主フレームと、
前記横方向フレーム部上に配置される第１の垂直レール構造であって、該第１の垂直レール構造は垂直レール部及び傾斜レール部を有し、該傾斜レール部は円弧状レール区画及び傾斜レール区画を有し、該円弧状レール区画は前記垂直レール部の上端及び該傾斜レール区画に接続される、第１の垂直レール構造と、
第１のベース部及び第１のアーム部を有する第１の摺動ベースであって、該第１のベース部は前記第１の垂直レール構造に被さり、前記第１の垂直レール構造に沿って摺動するために前記第１の垂直レール構造の第１の側と摺動接触するように構成され、該第１のアーム部は該第１のベース部から延在する、第１の摺動ベースと
前記第１のアーム部に接続される第１の疑似バスケットボール部材であって、前記第１の側は該第１の疑似バスケットボール部材に対向する前記第１の垂直レール構造の外端部である、第１の疑似バスケットボール部材と、
を含むバスケットボールのシュート練習装置であって、
ユーザーの手で前記第１の疑似バスケットボール部材が支えられ、その後に上方へと推進された場合、前記第１のベース部は、前記第１の垂直レール構造に沿ってセットショットが打たれるよう前記ユーザーの手をガイドするために前記垂直レール部上の第１の初期位置から前記傾斜レール部上のシュート位置に摺動するとともに、前記垂直レール部に対して枢動することなく前記垂直レール部と接触を維持して、前記第１の疑似バスケットボール部材を前記垂直レール部に沿って真っ直ぐ且つ上方に動かし、前記円弧状レール区画に沿って動かし、次いで前記傾斜レール区画に沿って真っ直ぐ且つ斜めに動かす、バスケットボールのシュート練習装置。
【請求項２】
前記第１の垂直レール構造の第１の側にアームガイドベースが配置され、該アームガイドベースは前記第１の摺動ベースの下に位置し、該アームガイドベースは該アームガイドベース上で離間される２つのガイドシートを有し、該２つのガイドシートは該２つのガイドシートの間に置かれる前記ユーザーの前腕を前記ユーザーの上腕と同じ垂直面で制約するためのものである、請求項１に記載のバスケットボールのシュート練習装置。
【請求項３】
前記２つのガイドシートは前記アームガイドベースに可動に配置され、前記第１の垂直レール構造は、前記ユーザーに対する前記２つのガイドシートの位置を調節して前記ユーザーの前腕を前記ユーザーの上腕と同じ垂直面で揃えるために前記横方向フレーム部に対して左右に可動であるとともに前後に枢動可能である、請求項２に記載のバスケットボールのシュート練習装置。
【請求項４】
前記第１の疑似バスケットボール部材は、前記第１のベース部が前記傾斜レール部上のシュート位置に摺動した場合に前記ユーザーの指が前記第１の疑似バスケットボール部材を特定の角度で回転できるようにして前記ユーザーの指がフォロースルー動作を最後まで行えるようにするために、前記第１のアーム部に回転可能に接続される、請求項１に記載のバスケットボールのシュート練習装置。
【請求項５】
前記主フレームから離間されるとともに前記直立フレーム部に接続される第２の垂直レール構造と、
前記第２の垂直レール構造に摺動可能に配置される胴体取付部材であって、該胴体取付部材は、前記ユーザーの胴体に取り付けて、前記第２の垂直レール構造に沿って膝が曲がった位置から前記第１の初期位置に垂直に動くよう前記ユーザーの胴体をガイドするためのものである、胴体取付部材と、
をさらに含む、請求項１に記載のバスケットボールのシュート練習装置。
【請求項６】
第２のベース部及び第２のアーム部を有する第２の摺動ベースであって、該第２のベース部は、前記第１の垂直レール構造に沿って摺動するために、前記第１のベース部と反対側の前記第１の垂直レール構造の第２の側に摺動可能に配置され、該第２のアーム部は該第２のベース部から延在する、第２の摺動ベースと、
前記第２のアーム部に接続される第２の疑似バスケットボール部材と、
をさらに含み、
前記ユーザーの手で前記第２の疑似バスケットボール部材が支えられ、その後に上方に推進された場合に、前記第２のベース部は、前記第１の垂直レール構造に沿ってフックショットが打たれるよう前記ユーザーの手をガイドするために前記垂直レール部上の第２の初期位置から前記傾斜レール部上のフック位置に摺動する、請求項１に記載のバスケットボールのシュート練習装置。
【請求項７】
前記第２の疑似バスケットボール部材は、前記第２のベース部が前記傾斜レール部上のフック位置に摺動した場合に前記ユーザーの指が前記第２の疑似バスケットボール部材を特定の角度で回転できるようにして前記ユーザーの指がフォロースルー動作を行えるようにするために、前記第２のアーム部に回転可能に接続される、請求項６に記載のバスケットボールのシュート練習装置。
【請求項８】
前記第１の摺動ベースに配置されるブレーキ装置であって、該ブレーキ装置は、前記第１の疑似バスケットボール部材の重さにより前記第１のベース部が摺動して前記傾斜レール部上のシュート位置から前記垂直レール部上の第１の初期位置に戻る間に前記第１の摺動ベースにブレーキをかけるためのものである、ブレーキ装置をさらに含む、請求項１に記載のバスケットボールのシュート練習装置。
【請求項９】
前記第１の摺動ベースは前記第１の垂直レール構造に枢結され、前記ブレーキ装置は屈曲アーム及びブレーキパッドを含み、該屈曲アームは前記第１のベース部から延在し、該ブレーキパッドは該屈曲アームの下端に配置され、
前記第１の疑似バスケットボール部材が支えられていない場合、前記第１の摺動ベースは、前記第１の摺動ベースを前記第１の初期位置で止めるために、前記第１の疑似バスケットボール部材の重さにより前記屈曲アームと協働して前記第１の垂直レール構造に対して枢動して前記ブレーキパッドを前記第１の垂直レール構造と接触させ、
前記ユーザーの手で前記第１の疑似バスケットボール部材が上方に推進された場合、前記第１の摺動ベースは、前記屈曲アームと協働して前記第１の垂直レール構造に対して枢動して前記ブレーキパッドを前記第１の垂直レール構造から離す、請求項８に記載のバスケットボールのシュート練習装置。
【請求項１０】
前記傾斜レール部は、前記垂直レール部に対する前記傾斜レール部の斜角を調節するために前記垂直レール部の上端に枢結される、請求項１に記載のバスケットボールのシュート練習装置。
【発明の詳細な説明】
【技術分野】
【０００１】
本発明はバスケットボールのシュート練習装置に関し、より具体的には、ユーザーの手をガイドして垂直レール構造に沿ったセットショットを打てるようにするためのバスケットボールのシュート練習装置に関する。
【背景技術】
【０００２】
一般に、適切なシュートを打つための技術は、バスケットボール選手がバスケットボールをシュートしてバスケット内に上手に入れるようにするのに役立ち得る。バスケットボール選手のシュート技術を改善するための練習用の装置を用いることが知られている。例えば、特許文献１にはバスケットボールのフリースロー技術を改善するためのフリースロー練習装置が記載されている。特許文献１に記載のフリースロー練習装置はバスケットボールと、バスケットボールを高い位置で支持するための支持手段と、バスケットボールの近くに設けられるとともに、ユーザーの腕をガイドするように構成されたアームガイドと、バスケットボールの高さを調節するための調節手段を含む直立フレーム構造とを含む。ユーザーはアームガイドを介して、バスケットボールに対し自身の腕を正確に垂直及び前方に動かすことができるため、フリースローに適した正しい腕の動きを学習できる。特許文献１に記載の装置以外にも、バスケットボールのシュート技術を改善するために様々な装置や方法が下記文献において提案されている。
【先行技術文献】
【特許文献】
【０００３】
【特許文献１】米国特許第４６２３１４８号明細書
【特許文献２】米国特許出願公開第２０１４／０１７１２２９号明細書
【特許文献３】中国特許出願特許出願公開第１０３６９１１１８号明細書
【特許文献４】中国特許出願特許出願公開第１０２１７９０３８号明細書
【特許文献５】米国特許第４７１７１４９号明細書
【特許文献６】米国特許第４５６５５２７号明細書
【特許文献７】米国特許第５６８８２１２号明細書
【発明の概要】
【発明が解決しようとする課題】
【０００４】
バスケットボールのシュートを改善する上で１つの重要な技術は適切な手首の動きである。バスケットボール選手がバスケットボールをシュートする間、バスケットボール選手は自身の手首を曲げ、その後にバスケットボールを空中で推進させてバスケットに入れる。しかしながら、バスケットボールをシュートする間にバスケットボール選手が自身の上腕と同じ垂直面に自身の前腕を適切な形で配置できないと、適切な手首の動きは十分でない。そのため、バスケットボール選手が適切な手首の動き及び適切な腕の動きの双方を習得するのを練習するための装置をどう設計するかがバスケットボールのシュート練習における重要な課題となっている。
【課題を解決するための手段】
【０００５】
本発明はバスケットボールのシュート練習装置を開示する。バスケットボールのシュート練習装置は主フレーム、第１の垂直レール構造、第１の摺動ベース及び第１の疑似バスケットボール部材を含む。主フレームは横方向フレーム部と、保持面上で直立させるための直立フレーム部とを有する。横方向フレーム部は直立フレーム部に接続される。第１の垂直レール構造は横方向フレーム部上に配置される。第１の垂直レール構造は垂直レール部と、垂直レール部の上端に接続される傾斜レール部とを有する。第１の摺動ベースは  第１のベース部及び第１のアーム部を有する。第１のベース部は、第１の垂直レール構造に沿って摺動するために第１の垂直レール構造の第１の側に摺動可能に配置される。第１のアーム部は第１のベース部から延在する。第１の疑似バスケットボール部材は第１のアーム部に接続される。ユーザーの手で第１の疑似バスケットボール部材が支えられ、その後に上方に推進された（propped  and  then  propelled  upwardly）場合、第１のベース部は、第１の垂直レール構造に沿ってセットショットが打たれるようユーザーの手をガイドするために垂直レール部上の第１の初期位置から傾斜レール部上のシュート位置に摺動する。
【０００６】
様々な図面に図示する下記の好ましい実施形態の詳細な説明を読み終えた後、本発明の上記の目的及び他の目的が当業者に間違いなく明らかになる。
【図面の簡単な説明】
【０００７】
【図１】図１は、本発明の一実施形態に係るバスケットボールのシュート練習装置の図である。
【図２】図２は、胴体取付部材を着用し、膝を曲げた位置で第１の疑似バスケットボール部材を支えるユーザーの側面図である。
【図３】図３は、ユーザーの胴体が第２の垂直レール構造に沿って第１の初期位置に垂直に動くようにガイドする図２の胴体取付部材の側面図である。
【図４】図４は、傾斜レール部上のシュート位置に摺動する図３の第１のベース部の側面図である。
【図５】図５は、本発明の別の実施形態に係る、第１の摺動ベース上に配置されたブレーキ装置の側面図である。
【図６】図６は、第１の垂直レール構造からブレーキ装置を分離させるために第１の垂直レール構造に対して枢動する第１の摺動ベースの側面図である。
【図７】図７は、本発明の別の実施形態に係る、第２の疑似バスケットボール部材を支えるユーザーのシュートを打つ手の側面図である。
【図８】図８は、フックショットを打つために第２の疑似バスケットボール部材を上方に推進させるユーザーのシュートを打つ手の側面図である。
【発明を実施するための形態】
【０００８】
図１を参照されたい。図１は、本発明の一実施形態に係るバスケットボールのシュート練習装置１０の図である。図１に示すように、バスケットボールのシュート練習装置１０は主フレーム１２、第１の垂直レール構造１４、第１の摺動ベース１６、第１の疑似バスケットボール部材１８、第２の垂直レール構造２０及び胴体取付部材２２を含む。主フレーム１２は直立フレーム部２４及び横方向フレーム部２６を有する。横方向フレーム部２６は直立フレーム部２４に接続され、直立フレーム部２４は、ユーザー（例えばバスケットボール選手）が便利に操作できるようにバスケットボールのシュート練習装置１０を保持面（グランドの面等）上で動かないよう設置できるよう保持面上で直立させるのに用いられる。第１の垂直レール構造１４は横方向フレーム部２６上に配置されるとともに、垂直レール部２８と、垂直レール部２８の上端Ｐに接続される傾斜レール部３０とを有する。本実施形態では、傾斜レール部３０は（限定されないが例えばヒンジにより）垂直レール部２８の上端Ｐに枢結されることが好ましい。これにより、ユーザーは垂直レール部２８に対する傾斜レール部３０の斜角を調節することにより自身のシュート角度を適切に調節できる。
【０００９】
第１の摺動ベース１６は第１のベース部３２及び第１のアーム部３４を有する。第１のベース部３２は、第１の垂直レール構造１４に沿って摺動するために第１の垂直レール構造１４の第１の側Ｓ１に摺動可能に配置される。第１のアーム部３４は第１のベース部３２から延びる。第１の疑似バスケットボール部材１８は、ユーザーがシュートの動作を行うために自身のシュートを打つ手で第１の疑似バスケットボール部材１８を支えることができるように第１のアーム部３４に接続されている。実際の用途では、筋肉のトレーニングの目的を実現するために、第１の疑似バスケットボール部材１８に充填物（例えば水又は砂）を加えることにより第１の疑似バスケットボール部材１８の重さを増やしてもよい。
【００１０】
さらに、第２の垂直レール構造２０は主フレーム１２から離間されるとともに直立フレーム部２４に接続される。胴体取付部材２２は、ユーザーの胴体に取り付けて、第２の垂直レール構造２０に沿って垂直に動くようユーザーの胴体をガイドし、ユーザーがシュートの動作を行う間にユーザーの姿勢の安定性を改善するために第２の垂直レール構造２０に摺動可能に配置されている。本実施形態では、胴体取付部材２２は限定されないが着用可能な器具（例えばウエラブルベスト）であり得る。即ち、別の実施形態では、本発明はユーザーの胴体に取り付けられ得る他の取付器具（例えば膝と肩のハーネス（lap-shoulder  harness））が採用され得る。なお、第２の垂直レール構造２０及び胴体取付部材２２は、バスケットボールのシュート練習装置１０の機械設計を簡素化するために省略可能な構成要素であり得る。
【００１１】
さらに、シュートを打つ手で第１の疑似バスケットボール部材１８を支え、その後に上方に推進させる間にユーザーが自身の前腕を自身の上腕と同じ面で適切に位置配置できるように、バスケットボールのシュート練習装置１０は、図１に示すようにアームガイドベース３６をさらに含み得る。アームガイドベース３６は第１の垂直レール構造１４の第１の側Ｓ１に配置されるとともに第１の摺動ベース１６の下に位置する。アームガイドベース３６は２つのガイドシート３８を有する。２つのガイドシート３８はアームガイドベース３６上で離間され、それらの間に置かれるユーザーの前腕がユーザーの上腕と同じ垂直面にあるように制約する。実際の用途では、２つのガイドシート３８はアームガイドベース３６上で可動に配置され、第１の垂直レール構造１４は、横方向フレーム部２６に対して左右方向に移動可能であるとともに前後に枢動可能であり得る。そのため、ユーザーは、ユーザーの前腕をユーザーの上腕と同じ垂直面で揃えるためにユーザーに対して２つのガイドシート３８の部分を便利に調節できる。２つのガイドシート３８をアームガイドベース３６上で可動に配置させ、第１の垂直レール構造１４を横方向フレーム部２６上で移動可能に且つ枢動可能に配置させるための機械設計に関連する説明については、先行技術において多く見受けられるため、本願では省略する。さらに、別の実施形態では、垂直レール部２８は、図１に示すような直線レールの代わりに、ユーザーが第１の垂直レール構造１４に沿ってセットショットをよりスムーズに打てるように円弧状のレールであり得る。
【００１２】
バスケットボールのシュート練習装置１０の操作について以下でより詳細に説明する。図２、図３及び図４を参照されたい。図２は、胴体取付部材２２を着用し、膝を曲げた位置で第１の疑似バスケットボール部材１８を支えるユーザーの側面図である。図３は、第２の垂直レール構造２０に沿って第１の初期位置に垂直に動ごくようユーザーの胴体をガイドする図２の胴体取付部材２２の側面図である。図４は、傾斜レール部３０上のシュート位置に摺動する図３の第１のベース部３２の側面図である。ユーザーが胴体取付部材２２を着用した後、ユーザーは自身の前腕４０を２つのガイドシート３８の間に置き、自身のシュートを打つ手４２で第１の疑似バスケットボール部材１８を支持し、次いでユーザーの前腕４０をユーザーの上腕４４と同じ垂直面（即ち、図２に示すＸＹ面）で揃えるために、第１の垂直レール構造１４を左右に適切に動かし且つ第１の垂直レール構造１４を前後に枢動させることによりユーザーに対して２つのガイドシート３８の位置を調節できる。その後、ユーザーは自身の膝を曲げて、バスケットボールのシュートを打つために図２に示す膝屈曲状態で素早い動作（ready  action）を行うことができる。次いで、胴体取付部材２２は、ユーザーが自身の膝を伸ばす間に第２の垂直レール構造２０に沿って図２に示す膝を曲げた位置から図３に示す第１の初期位置に垂直に動くようにユーザーの胴体をガイドする。その後、ユーザーは、自身のシュートを打つ手４２で第１の疑似バスケットボール部材１８を上方に推進させて、第１のベース部３２を図３に示す垂直レール部２８上の第１の初期位置から図４に示す傾斜レール部３０上のシュート位置に摺動させることができる。
【００１３】
なお、本実施形態では、第１のベース部３２が図４に示す傾斜レール部３０上のシュート位置に摺動した場合に、ユーザーの指で第１の疑似バスケットボール部材１８を特定の角度（限定されないが例えば３０°）で反時計回りに回転させることができるようにしてユーザーの指がフォロースルーを行えるように、第１の疑似バスケットボール部材１８が第１のアーム部３４に回転可能に接続され得る（例えば、ねじりバネを通じて第１の疑似バスケットボール部材１８を第１のアーム部３４に接続することにより）。
【００１４】
そのような形で、バスケットボールのシュート練習装置１０は、ユーザーの前腕４０が上腕４４と同じ垂直面に位置している場合にユーザーがシュートを打つ手４２をガイドして第１の垂直レール構造１４に沿ったセットショットを打つことができるようにする。そのため、バスケットボールのシュート練習装置１０は、ユーザーがバスケットボールをバスケット内に上手くシュートするための適切な手首の動き及び適切な腕の動きの双方を習得するとともに、（ユーザーは前述のバスケットボールのシュートの練習プロセスを繰り返し行うために）動作制限目的（motion  restriction  purpose）を実現できるよう訓練させる。
【００１５】
さらに、第１のベース部３２は、第１の疑似バスケットボール部材がユーザーのシュートを打つ手４２によって支えられていない間は第１の疑似バスケットボール部材１８の重さにより傾斜レール部３０上のシュート位置から垂直レール部２８上の第１の初期位置に摺動して戻ることができるため、本発明はさらに第１の初期位置で第１のベース部３２を止めるためのブレーキ設計をさらに採用でき得る。それにより、第１の疑似バスケットボール部材１８が速く落下してユーザーが誤ってケガをするのを効率的に防止できる。即ち、バスケットボールのシュート練習装置１０はブレーキ装置４６をさらに含み得る。ブレーキ装置４６は第１の摺動ベース１６に配置されて、第１のベース部３２が傾斜レール部３０上のシュート位置から摺動して垂直レール部２８上の第１の初期位置に戻る間に第１の摺動ベース１６にブレーキをかける。
【００１６】
例えば、図５及び図６を参照されたい。図５は、本発明の別の実施形態に係る、第１の摺動ベース１６上に配置されたブレーキ装置４６の側面図である。図６は、ブレーキ装置４６を第１の垂直レール構造１４から離すために第１の垂直レール構造１４に対して枢動する第１の摺動ベース１６の側面図である。本実施形態及び前述の実施形態の双方で言及する構成要素は同様の構造又は機能を有する構成要素を表し、それらに関連する説明はここでは省略する。
【００１７】
図５及び図６に示すように、本実施形態では、第１の摺動ベース１６は第１の垂直レール構造１４に枢結され、ブレーキ装置４６は屈曲アーム４８及びブレーキパッド５０を含み得る。屈曲アーム４８は第１のベース部３２から延び得る。ブレーキパッド５０は屈曲アーム４８の下端に配置される。したがって、図５に示すように、第１の摺動ベース１６は、第１の疑似バスケットボール部材の重さにより屈曲アーム４８と協働して第１の垂直レール構造１４に対して枢動して、第１の疑似バスケットボール部材１８が支えられていない場合に第１の摺動ベース１６を第１の初期位置で停止させるためにブレーキパッド５０を第１の垂直レール構造１４と接触させる。他方、図６に示すように、ユーザーがシュートを打つ手４２によって第１の疑似バスケットボール部材１８が上方に推進された場合、第１の摺動ベース１６は屈曲アーム４８と協働して第１の垂直レール構造１４に対して枢動してブレーキパッド５０を第１の垂直レール構造１４から離す。そのため、ユーザーは第１の疑似バスケットボール部材１８を上方に推進させ続けることができ得る。上述のブレーキ設計を通じて、バスケットボールのシュート練習装置１０の動作安全性が大幅に改善し得る。
【００１８】
なお、バスケットボールのシュート練習装置１０はフックシュート練習機能をさらに有し得る。図７及び図８を参照されたい。図７は、本発明の別の実施形態に係る第２の疑似バスケットボール部材５２を支えるユーザーのシュートを打つ手４２の側面図である。図８は、フックショットを打つために図７の第２の疑似バスケットボール部材５２を上方に推進させるユーザーのシュートを打つ手４２の側面図である。本実施形態及び上述の実施形態の双方で言及する構成要素は同様の構造又は機能を有する構成要素を表し、それらに関連する説明はここでは省略する。
【００１９】
図７及び図８に示すように、本実施形態では、バスケットボールのシュート練習装置１０は第２の疑似バスケットボール部材５２及び第２の摺動ベース５４をさらに含み得る。第２の摺動ベース５４は第２のベース部５６及び第２のアーム部５８を有する。第２のベース部５６は、第１の垂直レール構造１４に沿って摺動するために第１のベース部３２の反対側の第１の垂直レール構造１４の第２の側Ｓ２に摺動可能に配置される。第２のアーム部５８は第２のベース部５６から延びる。ユーザーがフック動作を行うために第２の疑似バスケットボール部材５２を自身がシュートを打つ手で支えることができるように、第２の疑似バスケットボール部材５２は第２のアーム部５８に接続され得る。実際の用途では、筋肉のトレーニングの目的を実現するために、第２の疑似バスケットボール部材５２内に充填物（例えば水又は砂）を加えることにより第２の疑似バスケットボール部材５２の重さを増やすことができ得る。
【００２０】
さらに、本実施形態では、第２のベース部３２が図８に示す傾斜レール部３０上のフック位置に摺動した場合に、ユーザーの指で第２の疑似バスケットボール部材５２を特定の角度（限定されないが例えば３０°）で回転させることができるようにしてユーザーの指がフォロースルーを行えるように、第２の疑似バスケットボール部材５２が第２のアーム部３４に回転可能に接続され得る（例えば、ねじりバネを通じて第２の疑似バスケットボール部材５２を第２のアーム部３４に接続することにより）。
【００２１】
なお、上述の腕の位置決めデザインも、第２の疑似バスケットボール部材５２をユーザーがシュートを打つ手で支え、その後に上方に推進させる間にユーザーの前腕をユーザーの上腕と同じ面で位置決めするために適用可能であり得る。関連する説明は上述の実施形態に従って類推することにより理解でき得るため、ここでは省略する。
【００２２】
このように、ユーザーは自身がシュートを打つ手４２で第２の疑似バスケットボール部材５２を支え、その後に上方に推進させて第２のベース部５８を図７に示す垂直レール部２８上にある第２の初期位置から図８に示す傾斜レール部３０上にあるフック位置に摺動させて第１の垂直レール構造１４に沿ったフックショットを打つことができる。したがって、バスケットボールのシュート練習装置１０は、ユーザーがバスケットボールをバスケット内に上手くシュートするための適切な手首の動き及び適切な腕の動きの双方を習得するとともに、（ユーザーは前述のバスケットボールのシュートの練習プロセスを繰り返し行うために）動作制限目的を実現できるよう訓練させる。
【００２３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【図１】
0006741772.tif 000002
【図２】
0006741772.tif 000003
【図３】
0006741772.tif 000004
【図４】
0006741772.tif 000005
【図５】
0006741772.tif 000006
【図６】
0006741772.tif 000007
【図７】
0006741772.tif 000008
【図８】
0006741772.tif 000009